(57)【要約】      （修正有）【課題】人間の目にはパルス光が定常光として感じられ、連続点灯の光量を徐々に変化させることにより、白熱電球が点灯した時と同様にソフトな定常光として感じられ、消費電力を少なくできる閃光放電灯の点灯方法を提供する。【解決手段】閃光放電灯の点灯方法に関するものであり、更に詳細には、中光度赤色航空障害灯等に用いるための閃光放電灯の点灯方法に関するものであり、一定時間の間隔と一定時間の連続点灯との明滅を繰り返す閃光放電灯の点灯装置を用いて、前記連続点灯は４０Ｈｚ以上で一定時間の間点灯させると共に連続点灯の光量を徐々に変化させるものである。【選択図】図２
2010146837.tif 000002
【特許請求の範囲】
【請求項１】
一定時間の間隔と一定時間の連続点灯との明滅を繰り返す閃光放電灯の点灯装置を用いて、前記連続点灯は４０Ｈｚ以上で一定時間の間点灯させると共に連続点灯の光量を徐々に変化させることを特徴とする閃光放電灯の点灯方法。
【発明の詳細な説明】
【技術分野】
【０００１】
本発明は閃光放電灯の点灯方法に関するものであり、更に詳細には、中光度赤色航空障害灯等に用いるための閃光放電灯の点灯方法に関するものである。
【背景技術】
【０００２】
従来、この種の現在用いられている中光度赤色航空障害灯「ＯＭ−６」は、高い建物や高い建造物には必ず必要とされており、一般的には５００Ｗの白熱電球２個を使用して、明滅比２：１で４０回／分で明滅させているが、白熱電球２個の消費電力は約７００Ｗに成っており、地球温暖化防止のために省エネ対策が要求されている。
【０００３】
その為に、キセノン閃光放電灯を用いることも考慮されているが、同一光量で繰り返し点灯しても、白熱電球のようなソフトな明滅には成らず、実用化されていないのが実情である。
【０００４】
また、閃光放電灯を用いた警告灯も各種開発されており、例えば、基台１上に電球を光源４１とした回転灯４と、閃光放電管６１を光源とした閃光ユニット６を適宣配置し、グローブ２が覆う。回転灯４と閃光ユニット６との間には反射板５が配置しており、グローブ２内においては反射板５を境に回転灯４の照射領域と閃光ユニット６の照射領域を形成する。各光機ユニットからの光源光は、グローブ２に施した着色によって着色投光するものであって、各光源の分光分布特性を考慮した下、回転灯４から赤色の回転放光が、閃光ユニット６からは黄色、或いはそれより短波長域の可視光色で閃光が発せられる。各光源光は、反射板５によって隣接する照射領域内に入射されないので、点灯の有無が明瞭となるもの（特許文献１参照）や、 左右外側の警告灯ユニット１０，４０を同期して交互に点滅させるとともに、左右内側の警告灯ユニット２０，３０を外側の警告灯ユニット１０，４０より速い周期で点滅させるもの（特許文献２参照）等が開示されている。
【特許文献１】特開２０００−２９４００３号公報
【特許文献２】特開平９−３０６２０８号公報
【発明の開示】
【発明が解決しようとする課題】
【０００５】
然し乍ら、先に開示された特許文献１．２に記載のものは、閃光放電灯を用いて明滅させるものであるが、視認性を高めるもので、白熱電球のような目に優しい明滅はできないものである。
【課題を解決するための手段】
【０００６】
本発明は前記課題に鑑み、鋭意研鑽の結果、これらの課題を解決するもので、一定時間の間隔と一定時間の連続点灯との明滅を繰り返す閃光放電灯の点灯装置を用いて、連続点灯は４０Ｈｚ以上で一定時間の間点灯させると共に連続点灯の光量を徐々に変化させるものである。
【発明の効果】
【０００７】
本発明の閃光放電灯の点灯方法は、閃光放電灯を一定時間の間隔で一定時間の間４０Ｈｚ以上で連続点灯させることにより、連続点灯している間、人間の目にはパルス光が定常光として感じられ、更に、連続点灯の光量を徐々に変化させることにより、白熱電球が点灯した時と同様にソフトな定常光として感じられるもので、その消費電力を激減できるもので、画期的で実用性の高い有効な発明である。
【発明を実施するための最良の形態】
【０００８】
以下、本発明の閃光放電灯の点灯方法の実施例を図面によって具体的に説明すると、図１は本発明の閃光放電灯の点灯方法の実施に用いる点灯装置のブロック図と夫々の波形を表すグラフであり、図２は本発明の閃光放電灯の点灯方法の実施例の点灯状態を示すグラフであり、図３は本発明の閃光放電灯の点灯方法の実施例の消費エネルギーを計算するためのグラフである。
【０００９】
本発明は閃光放電灯の点灯方法に関するものであり、更に詳細には、中光度赤色航空障害灯等に用いるための閃光放電灯の点灯方法に関するものであり、一定時間の間隔と一定時間の連続点灯との明滅を繰り返す閃光放電灯の点灯装置を用いて、前記連続点灯は４０Ｈｚ以上で一定時間の間点灯させると共に連続点灯の光量を徐々に変化させることを特徴とするものである。
【実施例】
【００１０】
そして、本発明の閃光放電灯の点灯方法を実施する点灯装置は、例えば、図１のブロック図に図示する発光用コンデンサーの電圧を変えるもので良く、閃光放電灯ＦＴの両極は夫々昇圧電源回路に接続されると共に、両極の間には発光用コンデンサーＣｍと共に、第１，第２の充電電圧検出用抵抗Ｒ１．Ｒ２が介装されており、昇圧電源回路は充電・停止回路を介装して比較回路Ｃｏｍｐに接続され、比較回路Ｃｏｍｐの陰極は第１，第２の充電電圧検出用抵抗Ｒ１．Ｒ２との間に接続されて充電電圧を設定しており、一方、比較回路Ｃｏｍｐの陽極は制御信号発生回路は接続され基準電圧を設定しており、更に、制御信号発生回路はトリガー回路と接続されてトリガー信号を発信しているものであり、トリガー回路は閃光放電灯ＦＴのトリガーに接続され閃光放電灯ＦＴは明滅を繰り返すものである。
【００１１】
次いで、前記閃光放電灯の点灯装置における基準電圧波形と、トリガー信号、及び、発光用コンデンサーＣｍの電圧波形はグラフに図示するように表れるものである。
【００１２】
次に、図２の図示するものは、発光用コンデンサーＣｍの電圧波形の拡大して表したもので、発光用コンデンサーＣｍによる閃光時間が５μＦで点灯周波数１００Ｈｚとして０．８８秒間連続点灯させるもので、電圧を２３０Ｖから徐々に上昇させて閃光させてＭＡＸを４７０Ｖとしたもので、休止時間を０．３秒として明滅を繰り返すものであり、点灯周期は５１回／分としたものである。
【００１３】
そして、本発明の閃光放電灯の点灯方法は、前述のようにして明滅を繰り返し、連続点灯するものであるので滅状態から徐々に明るくなり、ＭＡＸの明状態を過ぎると徐々に暗くなり滅状態に戻るものであり、赤色灯とするためには赤色の透光部材で覆うものである。
【００１４】
更に、図３に図示するグラフに基づいて消費エネルギーの計算をしてみると、グラフは明滅比２：１として、連続点灯を５０Ｈｚ、点灯回数を４０回／分とし、発光用コンデンサーＣｍの容量を１０μＦとして計算すると、発光電圧の実効値は、
（１２００Ｖ−６００Ｖ）／√２＋６００Ｖ＝１０２４Ｖ
１閃光あたり、
１／２ＣＶ２  ＝１／２×１０×１０−６×１０２４２  ＝５．２Ｊ
１秒あたりの閃光回数は、
５０Ｈｚ×１秒／１．５秒＝３３回となり、
従って、５．２×３３＝１７１．６Ｗと成るものである。
【００１５】
つまり、本発明の閃光放電灯の点灯方法を実施することにより、従来から用いられている、５００Ｗの白熱電球２個を使用して、明滅比２：１で４０回／分で明滅させている中光度赤色航空障害灯「ＯＭ−６」の白熱電球の消費電力は約７００Ｗであり、１／４程度の省エネルギーと成るものである。
【００１６】
更には、他の閃光放電灯の光量を変化させる手段としては、発光用コンデンサーの容量を変えたり、放電回路にスイッチを介装し、スイッチにより発光時間を変える手段等が考慮されものであるが、白熱電球の点灯、消灯時のように徐々に明るくなり、徐々に暗くなる閃光放電灯が好適なものである。
【産業上の利用可能性】
【００１７】
本発明は、閃光放電灯を一定時間の間隔で一定時間の間５０Ｈｚ以上で連続点灯させることにより、連続点灯している間、人間の目にはパルス光が定常光として感じられ、更に、連続点灯の光量を徐々に変化させることにより、白熱電球が点灯した時と同様にソフトな定常光として感じられるもので、その消費電力を激減できる閃光放電灯の点灯方法の提供である。
【図面の簡単な説明】
【００１８】
【図１】図１は本発明の閃光放電灯の点灯方法の実施に用いる点灯装置のブロック図と夫々の波形を表すグラフである。
【図２】図２は本発明の閃光放電灯の点灯方法の実施例の点灯状態を示すグラフである。
【図３】図３は本発明の閃光放電灯の点灯方法の実施例の消費エネルギーを計算するためのグラフである。
【符号の説明】
【００１９】
ＦＴ      閃光放電灯
Ｃｍ      発光用コンデンサー
Ｒ１      第１の充電電圧検出用抵抗
Ｒ２      第２の充電電圧検出用抵抗
Ｃｏｍｐ  比較回路
【図１】
2010146837.tif 000003
【図２】
2010146837.tif 000004
【図３】
2010146837.tif 000005